(57)【特許請求の範囲】
【請求項１】
ボディ、吸込具及び前記吸込具に接続され前記ボディの内部に通じる吸気風路を形成する延長管を有する掃除機本体と、
台座部及び前記台座部の上方に形成された支持部を有し、前記掃除機本体が載置される充電台と、
を備え、
前記掃除機本体は、
前記ボディの内部に設けられた電動送風機と、
前記ボディの内部に設けられ、前記電動送風機に電力を供給し、前記掃除機本体が前記充電台に載置されている状態で充電される２次電池と、
を有し、
前記充電台に載置されている状態の前記掃除機本体は、側面視において左右非対称の外観を呈し、
前記充電台は、側面視において左右非対称の外観を呈し、
前記掃除機本体が前記充電台に載置されている状態において、前記掃除機本体と前記充電台とを合わせたものは、側面視において左右対称の外観を呈する電気掃除機。
【請求項２】
前記ボディは、円筒形状に形成され、
前記支持部は、前記台座部から直立し、円筒形状に形成され、
前記掃除機本体は、前記ボディの軸と前記支持部の軸とが一致し且つ前記ボディの側壁と前記支持部の側壁とが連続するように前記充電台に載置される請求項１に記載の電気掃除機。
【請求項３】
前記充電台は、
塵埃を捕集するフィルタと、
前記フィルタを通過する空気の流れを発生させる送風機と、
を有する請求項１又は２に記載の電気掃除機。
【請求項４】
前記掃除機本体は、前記ボディの一部として設けられた集塵ユニットを有し、
前記充電台は、前記支持部に設けられたごみ蓄積部を有し、
前記掃除機本体が前記充電台に載置されている状態において、前記集塵ユニットに捕集されているごみが前記ごみ蓄積部に移送される請求項１から３のいずれか１項に記載の電気掃除機。
【発明の詳細な説明】
【技術分野】
【０００１】
本発明は、電気掃除機に関するものである。
【背景技術】
【０００２】
下記特許文献１には、充電式の掃除機本体と、掃除機本体が載置される充電台と、を備えた電気掃除機が記載されている。
【先行技術文献】
【特許文献】
【０００３】
【特許文献１】特開２００４−１２１４６９号公報
【発明の概要】
【発明が解決しようとする課題】
【０００４】
特許文献１に記載の電気掃除機は、掃除機本体が充電台に載置されている状態において、水平方向から見た外観が左右対称でない。このため、特許文献１に記載の電気掃除機は、掃除機本体が充電台に載置されている状態における全体の一体性に欠ける。
【０００５】
本発明は、上記の課題を解決するためになされた。その目的は、掃除機本体が充電台に載置されている状態における全体の一体性が向上した充電式の電気掃除機を提供することである。
【課題を解決するための手段】
【０００６】
本発明に係る電気掃除機は、ボディ、吸込具及び吸込具に接続されボディの内部に通じる吸気風路を形成する延長管を有する掃除機本体と、台座部及び台座部の上方に形成された支持部を有し、掃除機本体が載置される充電台と、を備え、掃除機本体は、ボディの内部に設けられた電動送風機と、ボディの内部に設けられ、電動送風機に電力を供給し、掃除機本体が充電台に載置されている状態で充電される２次電池と、を有し、充電台に載置されている状態の掃除機本体は、側面視において左右非対称の外観を呈し、充電台は、側面視において左右非対称の外観を呈し、掃除機本体が充電台に載置されている状態において、掃除機本体と充電台とを合わせたものは、側面視において左右対称の外観を呈するものである。
【発明の効果】
【０００７】
本発明における掃除機本体が充電台に載置されている状態において、掃除機本体と充電台とを合わせたものは、水平方向から見て左右対称の外観を呈する。このため、本発明によれば、充電式の電気掃除機について、掃除機本体が充電台に載置された状態における全体の一体性を向上させることができる。
【図面の簡単な説明】
【０００８】
【図１】本発明の実施の形態１における掃除機本体の斜視図である。
【図２】本発明の実施の形態１における掃除機本体の前面図である。
【図３】本発明の実施の形態１における掃除機本体の側面図である。
【図４】本発明の実施の形態１における掃除機本体の後面図である。
【図５】本発明の実施の形態１における掃除機本体の上面図である。
【図６】図２に示す掃除機本体のＡ−Ａ断面図である。
【図７】本発明の実施の形態１における掃除機本体の使用時の状態を示す斜視図である。
【図８】本発明の実施の形態１における充電台の斜視図である。
【図９】本発明の実施の形態１における充電台の前面図である。
【図１０】本発明の実施の形態１における充電台の側面図である。
【図１１】本発明の実施の形態１における充電台の後面図である。
【図１２】本発明の実施の形態１における充電台の上面図である。
【図１３】本発明の実施の形態１における電気掃除機の斜視図である。
【図１４】本発明の実施の形態１における電気掃除機の前面図である。
【図１５】本発明の実施の形態１における電気掃除機の側面図である。
【図１６】本発明の実施の形態１における電気掃除機の後面図である。
【図１７】本発明の実施の形態１における電気掃除機の上面図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における掃除機本体の斜視図である。図２は、実施の形態１における掃除機本体の前面図である。図３は、実施の形態１における掃除機本体の側面図である。図４は、実施の形態１における掃除機本体の後面図である。図５は、実施の形態１における掃除機本体の上面図である。図１から図５は、掃除機本体１が直立した状態を示している。図１は、掃除機本体１の前面及び右側面を主に示している。図３は、掃除機本体１の右側面を示している。
【００１１】
掃除機本体１は、コードレスタイプの縦型電気掃除機である。図１から図４に示すように、掃除機本体１は、ボディ２、取っ手３、吸込管４、延長管５及び吸込具６を有している。吸込具６は、接続部６ａを有している。以下、掃除機本体１が直立した状態において、取っ手３に対して吸込管４が位置する方向を下方とする。
【００１２】
取っ手３及び吸込管４は、ボディ２の長手方向に沿って、ボディ２の前側に設けられている。取っ手３は、使用者が清掃時に把持するためものである。取っ手３の前面には、掃除機本体１の運転を制御するための操作スイッチ７が設けられている。吸込管４は、外観上は、取っ手３と連続するように形成されている。吸込管４の下端は、ボディ２の下端よりも下方に位置している。延長管５の一端は、吸込管４の下端に接続されている。延長管５の他端は、吸込具６の接続部６ａに接続されている。延長管５は、吸込管４及び吸込具６に対して着脱可能に形成されている。
【００１３】
延長管５は、例えば、矩形筒状を呈するまっすぐな部材である。吸込管４は、例えば、延長管５と同様の矩形筒状を呈する。取っ手３の前面及び左右の側面は、延長管５と連続する形状に形成されている。つまり、取っ手３、吸込管４及び延長管５は、外観上は一定の幅で連続するように形成されている。図２及び図４に示すように、取っ手３、吸込管４及び延長管５は、前面視及び後面視において、ボディ２の左右方向における中央と重なるように配置されている。
【００１４】
吸込具６は、下向きに形成された図示しない開口から、例えば床面上のごみ及び塵埃を空気と一緒に吸い込むためのものである。図２及び図４に示すように、前面視及び後面視において、吸込具６の幅は、ボディ２の幅よりも大きい。また、図２及び図４に示すように、接続部６ａは、吸込具６の長手方向における中央に設けられている。
【００１５】
ボディ２は、内部に取り込んだ空気からごみ及び塵埃を分離し、ごみ及び塵埃が取り除かれた空気を排出するためのものである。ボディ２から排出された清浄空気は、例えば、室内に戻される。以下、ごみ及び塵埃を含む空気を「含塵空気」とも呼ぶ。また、ごみ及び塵埃が取り除かれた空気を「清浄空気」とも呼ぶ。
【００１６】
図１から図４に示すように、ボディ２は、収容ユニット８及び集塵ユニット９を備えている。収容ユニット８の前側には、取っ手３が設けられている。収容ユニット８の後側には、排気口１０が形成されている。収容ユニット８は、例えば、円筒形状を呈している。収容ユニット８は、例えば、成型品である。集塵ユニット９は、吸込管４の後側に配置されている。集塵ユニット９は、収容ユニット８の下方に配置されている。集塵ユニット９は、例えば、収容ユニット８と直径が等しい円筒形状を呈している。集塵ユニット９の軸は、収容ユニット８の軸と一致している。このため、集塵ユニット９の外周面は、収容ユニット８の外周面と連続した外観を呈している。つまり、ボディ２全体の外観は、例えば、円筒形状を呈している。
【００１７】
図３及び図４に示すように、吸込管４の後面には、受電部１１が設けられている。受電部１１は、電力の供給を受ける機能を有する。受電部１１は、例えば、収容ユニット８の内部と電気的に接続された端子である。
【００１８】
図５に示すように、吸込管４及び延長管５は、上方から見て取っ手３と重なる位置にある。また、図３に示すように、吸込管４及び延長管５は、ボディ２の前方に位置している。つまり、吸込管４及び延長管５の長手方向に沿った軸は、円筒形状を呈するボディ２の軸からずれて配置されている。
【００１９】
このように形成された掃除機本体１は、図２及び図４に示すように、前面視及び後面視において左右対称の外観を呈する。一方、図３に示すように、掃除機本体１は、側面視において左右非対称の外観を呈する。
【００２０】
図６は、図２に示す掃除機本体のＡ−Ａ断面図である。図６は、掃除機本体１のボディ２周辺の垂直断面を示している。
【００２１】
図６に示すように、吸込管４の後面には、集塵ユニット９の内部に通じる接続口４ａが形成されている。つまり、吸込具６、延長管５及び吸込管４は、外部からボディ２の内部に至る吸気風路を形成する。集塵ユニット９の内部は、集塵ユニット９の上部に形成された開口を介して収容ユニット８の内部に通じている。収容ユニット８の内部は、排気口１０を介して外部に通じている。つまり、収容ユニット８の内部には、集塵ユニット９から外部に至る排気風路１２が形成されている。
【００２２】
図６に示すように、収容ユニット８の内部には、電動送風機１３、２次電池１４及び回路基板１５が設けられている。電動送風機１３は、吸気風路及び排気風路１２に気流を発生させるためのものである。電動送風機１３は、２次電池１４と電気的に接続されている。電動送風機１３は、２次電池１４から電力を供給されることにより駆動する。回路基板１５は、２次電池１４から電動送風機１３への電力供給を制御する。
【００２３】
吸込管４の側壁の一部は、図示しないが、二重壁として形成されている。二重壁の間の空間には、図示しないリード線が設けられている。リード線は、受電部１１と２次電池１４とを電気的に接続している。
【００２４】
集塵ユニット９は、含塵空気からごみ及び塵埃を分離し、分離したごみ及び塵埃を一時的に溜めておくためのものである。集塵ユニット９は、内部で含塵空気を旋回させることにより、遠心力によってごみ及び塵埃を空気から分離する。つまり、集塵ユニット９は、サイクロン分離機能を有するサイクロン分離装置である。
【００２５】
電動送風機１３は、操作スイッチ７に対する操作に応じて駆動する。電動送風機１３が駆動すると、吸気風路に吸引力が作用し、吸込具６から含塵空気が吸い込まれる。吸込具６に吸い込まれた含塵空気は、延長管５及び吸込管４を通過して集塵ユニット９の内部に取り込まれる。集塵ユニット９では、含塵空気からごみ及び塵埃が分離される。集塵ユニット９から排出された清浄空気は、電動送風機１３を通過する。電動送風機１３を通過した清浄空気は、排気風路を進み、排気口１０からボディ２の外部に排出される。
【００２６】
図７は、実施の形態１における掃除機本体の使用時の状態を示す斜視図である。接続部６ａは、予め設定された角度範囲で、前後方向及び左右方向に沿って吸込具６に対して回転可能である。つまり、接続部６ａと接続されている延長管５は、吸込具６に対して、予め設定された角度範囲で傾けることが可能である。掃除機本体１の使用者は、例えば、取っ手３を把持してボディ２を傾けた状態で清掃を行う。
【００２７】
なお、図示しないが、掃除機本体１は、吸込具６及び延長管５を取り外して使用することが可能である。吸込管４の下端は、集塵ユニット９の下端よりも下方に位置しているため、掃除機本体１から吸込具６及び延長管５が取り外された場合、ボディ２よりも下方に突出した状態となる。この状態では、掃除機本体１は、ハンディ型掃除機として機能する。
【００２８】
図８は、実施の形態１における充電台の斜視図である。図９は、実施の形態１における充電台の前面図である。図１０は、実施の形態１における充電台の側面図である。図１１は、実施の形態１における充電台の後面図である。図１２は、実施の形態１における充電台の上面図である。図８は、充電台２０の前面及び右側面を主に示している。図１０は、充電台２０の右側面を示している。
【００２９】
充電台２０は、掃除機本体１を直立した状態で載置するためのものである。図８から図１２に示すように、充電台２０は、台座部２１及び支持部２２を有している。台座部２１は、吸込具載置部２３及び底上げ部２４を有している。台座部２１は、上面視において、例えば、正方形又は長方形を呈している。台座部２１は、前面視及び後面視における幅が吸込具６の長手方向の寸法と同一となるように形成されている。
【００３０】
吸込具載置部２３は、台座部２１の前部に形成されている。吸込具載置部２３の底部は、床面に接する。掃除機本体１が充電台２０に載置された状態において、吸込具載置部２３の上面には、吸込具６が載置される。
【００３１】
底上げ部２４は、台座部２１の後部に形成されている。底上げ部２４は、吸込具載置部２３の後方に形成されている。底上げ部２４の底部は、床面に接する。底上げ部２４の上面は、吸込具載置部２３の上面よりも高い位置に形成されている。掃除機本体１が充電台２０に載置された状態において、底上げ部２４の前方には、吸込具６が配置される。このとき、吸込具６の上面及び底上げ部２４の上面は、同じ高さに位置する。つまり、台座部２１は、掃除機本体１が充電台２０に載置された状態における吸込具６の上面の高さと底上げ部２４の上面の高さとが、一致するように形成されている。
【００３２】
支持部２２は、台座部２１の上方に形成されている。支持部２２は、底上げ部２４の上面から鉛直上向きに直立して形成されている。支持部２２は、例えば、収容ユニット８及び集塵ユニット９と直径が等しい円筒形状を呈している。当該直径は、上面視における台座部２１の辺の長さよりも短い。円筒形状を呈する支持部２２の軸は、鉛直方向に延びている。図１０及び図１２に示すように、支持部２２の軸は、台座部２１の前後方向における中心よりも後方に位置している。図９、図１１及び図１２に示すように、支持部２２の軸は、台座部２１の左右方向における中心に位置している。つまり、支持部２２は、前面視及び後面視において、充電台２０の中央に位置している。
【００３３】
図８、図９及び図１２に示すように、支持部２２の上端部には、給電部２５が設けられている。給電部２５は、支持部２２の左右方向における中央に位置している。充電台２０は、図示しない電源ケーブルを有している。給電部２５は、例えば、図示しないリード線により電源ケーブルと電気的に接続された端子である。掃除機本体１が充電台２０に載置されると、受電部１１と給電部２５とが電気的に接続される。
【００３４】
このように形成された充電台２０は、図９及び図１１に示すように、前面視及び後面視において左右対称の外観を呈する。一方、図１０に示すように、充電台２０は、側面視において左右非対称の外観を呈する。
【００３５】
図１３は、実施の形態１における電気掃除機の斜視図である。図１４は、実施の形態１における電気掃除機の前面図である。図１５は、実施の形態１における電気掃除機の側面図である。図１６は、実施の形態１における電気掃除機の後面図である。図１７は、実施の形態１における電気掃除機の上面図である。図１３は、電気掃除機１００の前面及び右側面を主に示している。図１５は、電気掃除機１００の右側面を示している。
【００３６】
電気掃除機１００は、掃除機本体１及び充電台２０を備えている。図１３から図１７は、掃除機本体１が充電台２０に載置されている状態を示している。電源ケーブルが外部電源に接続され、掃除機本体１が充電台２０に載置されることで、掃除機本体１に設けられた２次電池１４が充電される。以下、掃除機本体１が充電台２０に載置されている状態を「充電状態」とも呼ぶ。
【００３７】
充電状態において、支持部２２の上には、掃除機本体１のボディ２が位置する。充電状態において、支持部２２の上面には、集塵ユニット９の底面が対向する。充電状態において、支持部２２の軸は、ボディ２の軸と一致する。充電状態において、支持部２２の外周面は、集塵ユニット９の外周面と連続した外観を呈する。つまり、充電状態において、収容ユニット８、集塵ユニット９及び支持部２２を合わせたもの全体の外観は、例えば、円筒形状を呈する。
【００３８】
充電状態において、支持部２２の前方には、取っ手３、吸込管４及び延長管５が位置する。このとき、前面視において、取っ手３、吸込管４及び延長管５は、支持部２２の左右方向における中央と重なる。充電状態において、底上げ部２４の前方且つ吸込具載置部２３の上面には、吸込具６が載置される。充電状態において、吸込具６の上面の高さは、底上げ部２４の上面の高さと一致する。
【００３９】
前面視及び後面視における電気掃除機１００の輪郭は、前面視及び後面視における掃除機本体１の輪郭と充電台２０の輪郭とを重ね合わせたものに相当する。上述したとおり、掃除機本体１及び充電台２０は、それぞれ単体で、前面視及び後面視において左右対称の外観を呈する。このため、掃除機本体１と充電台２０とを合わせた電気掃除機１００は、図１４及び図１６に示すように、前面視及び後面視において左右対称の外観を呈する。
【００４０】
側面視における電気掃除機１００の輪郭は、側面視における掃除機本体１の輪郭と充電台２０の輪郭とを組み合わせたものに相当する。上述したとおり、掃除機本体１及び充電台２０は、それぞれ単体では、側面視において左右対称の外観を呈さない。しかしながら、側面視において、電気掃除機１００の輪郭の前部と、電気掃除機１００の輪郭の後部とは、台座部２１の前後方向における中心を通る軸を対称軸として線対称な関係にある。つまり、側面視において取っ手３、吸込管４、延長管５、吸込具６及び吸込具載置部２３で形成される前側の輪郭と、側面視において収容ユニット８、集塵ユニット９、支持部２２及び底上げ部２４で形成される後側の輪郭とが、線対称な関係にある。このため、掃除機本体１と充電台２０とを合わせた電気掃除機１００は、図１５に示すように、側面視において左右対称の外観を呈する。
【００４１】
実施の形態１において、直立して充電台２０に載置されている状態の掃除機本体１は、単体では、側面視において左右非対称の外観を呈する。充電台２０は、単体では、側面視において左右非対称の外観を呈する。掃除機本体１が充電台２０に載置されている状態において、掃除機本体１と充電台２０とを合わせたものは、側面視において左右対称の外観を呈する。このため、実施の形態１によれば、前面視だけでなく側面視においても、電気掃除機１００全体の一体性を向上させることができる。
【００４２】
実施の形態１において、ボディ２は、円筒形状に形成されている。支持部２２は、台座部２１から直立し、ボディ２と直径が等しい円筒形状に形成されている。掃除機本体１は、ボディ２の軸と支持部２２の軸とが一致し、且つボディ２の側壁と支持部２２の側壁とが外観上連続するように充電台２０に載置される。このため、実施の形態１によれば、電気掃除機１００全体の一体性をさらに向上させることができる。
【００４３】
実施の形態１では、収容ユニット８、集塵ユニット９及び支持部２２の全てが鉛直方向の軸を持つ円筒形状に形成されている場合について示したが、電気掃除機１００の構成はこれに限らない。例えば、集塵ユニット９のみが水平方向の軸を持つ円筒形状に形成されている場合には、掃除機本体１が充電台２０に載置された状態で集塵ユニット９を覆うように支持部２２を形成することで、側面視における電気掃除機１００全体の左右対称性を確保してもよい。
【００４４】
実施の形態１において、掃除機本体１は、ボディ２、吸込具６及び吸込具６に接続されボディ２の内部に通じる吸気風路を形成する延長管５を有している。また、掃除機本体１は、電動送風機１３と、電動送風機１３に電力を供給し、掃除機本体１が充電台２０に載置されている状態で充電される２次電池１４と、を有している。充電台２０は、台座部２１及び台座部２１の上方に形成された支持部２２を有し、掃除機本体１が載置されるものである。掃除機本体１が充電台２０に載置されている状態において、掃除機本体１と充電台２０とを合わせたものは、水平方向から見て左右対称の外観を呈する。このため、実施の形態１によれば、充電式の電気掃除機１００について、掃除機本体１が充電台２０に載置された状態における全体の一体性を向上させることができる。従来、使用者は、充電状態での納まりが悪いことから、充電式の電気掃除機を物置又はクローゼット等の中に収納したり、寝室の隅又は家具の陰等に隠したりしていた。これに対して、実施の形態１における電気掃除機１００であれば、充電状態での納まりが大幅に向上するため、使用者が生活する主な空間であるリビング等に違和感なく置くことができる。これにより、ごみを見つけた場合にすぐ使用できるという充電式の電気掃除機の特長を十分に活かすことができる。その結果、使用者の利便性を向上させることができる。
【００４５】
実施の形態１において、充電台２０は、塵埃を捕集するフィルタと、フィルタを通過する空気の流れを発生させる送風機と、を有するものでもよい。つまり、充電台２０は、空気清浄機能を備えていてもよい。この場合、掃除機本体１を充電している時に室内空間を清浄化することができる。これにより、清掃時でなくとも電気掃除機１００をリビング等に置いておく動機付けを使用者に与え、使用者の利便性を向上させることができる。
【００４６】
なお、上記の空気清浄機能は、掃除機本体１を充電している時だけでなく、掃除機本体１を使用して清掃を行っているときに動作させてもよい。この場合、モノを動かす動作等により床面から舞い上がる塵及び使用者の着衣の擦れ等により生じる浮遊塵をその場で吸引することで、室内空間を清浄化することができる。
【００４７】
実施の形態１において、充電台２０は、ボディ２の一部として設けられた集塵ユニット９とは別に、支持部２２に設けられたごみ蓄積部を有していてもよい。ごみ蓄積部は、例えば、集塵ユニット９よりも容積が大きく形成される。そして、集塵ユニット９に捕集されているごみは、掃除機本体１が充電台２０に載置されている状態において、ごみ蓄積部に移送される。これにより、ごみ捨ての頻度を抑え、使用者の利便性を向上させることができる。また、集塵ユニット９を小型化できるため、掃除機本体１の操作性を向上させることができる。
【００４８】
なお、実施の形態１においては、掃除機本体１、充電台２０を、ともに、単体では、側面視において左右非対称の外観を呈する場合について示したが、構成はこれに限られるものではない。例えば、掃除機本体１、充電台２０が、ともに、単体では、前面視において左右非対称の外観を呈する場合にも同様の効果を奏する。
【００４９】
なお、実施の形態１においては、接続部６ａを、吸込具６の長手方向における中央に設けた場合について示したが、構成はこれに限られるものではない。例えば、接続部６ａを、吸込具６の長手方向における中央からずらして設けた場合にも、充電台２０の構成次第で、同様の効果を奏することが可能となる。
【符号の説明】
【００５０】
１  掃除機本体
２  ボディ
３  取っ手
４  吸込管
４ａ  接続口
５  延長管
６  吸込具
６ａ  接続部
７  操作スイッチ
８  収容ユニット
９  集塵ユニット
１０  排気口
１１  受電部
１２  排気風路
１３  電動送風機
１４  ２次電池
１５  回路基板
２０  充電台
２１  台座部
２２  支持部
２３  吸込具載置部
２４  底上げ部
２５  給電部
１００  電気掃除機
【図１】
0005999206.tif 000002
【図２】
0005999206.tif 000003
【図３】
0005999206.tif 000004
【図４】
0005999206.tif 000005
【図５】
0005999206.tif 000006
【図６】
0005999206.tif 000007
【図７】
0005999206.tif 000008
【図８】
0005999206.tif 000009
【図９】
0005999206.tif 000010
【図１０】
0005999206.tif 000011
【図１１】
0005999206.tif 000012
【図１２】
0005999206.tif 000013
【図１３】
0005999206.tif 000014
【図１４】
0005999206.tif 000015
【図１５】
0005999206.tif 000016
【図１６】
0005999206.tif 000017
【図１７】
0005999206.tif 000018